(57)【要約】【課題】電解処理した液体の電解生成物濃度を高めることができる電解液体生成装置、等を提供する。【解決手段】電解液体生成装置１は、互いに隣り合う電極が陰極４５と陽極４４であり、積層体４１は陰極４５側に流路が形成されるように配置されており、陰極４５には陰極側孔４６ｂが形成されており、導電性膜４６には導電性膜側孔４６ｂが形成されており、陰極４５と導電性膜４６とを積層させた状態で、陰極側孔４５ｃと導電性膜側孔４６ｂとが連通しており、陰極側孔４５ｃは、細長く延在し、陰極側孔４５ｃの長手方向の少なくとも一部が通液方向に対して交差する方向に延在するように配置されており、陰極側孔４５ｃは、導電性膜側孔４６ｂの配列と同一ピッチおよび同一方向に列設されている。【選択図】図５
2018012105.tif 000002
【特許請求の範囲】
【請求項１】
互いに隣り合う電極間に導電性膜が介在するように積層された積層体を有し、液体を電解処理する電解部と、
前記電解部に供給される液体が流入する流入口と前記電解部で生成される電解液体が流出する流出口とを有し、通液方向が前記積層体の積層方向と交差する方向となるように形成された流路と、
を備え、
前記積層体には、前記流路に開口するとともに、前記導電性膜と前記電極との界面の少なくとも一部が露出する溝部が形成されており、
前記互いに隣り合う電極が陰極と陽極であり、前記積層体は前記陰極側に前記流路が形成されるように配置されており、
前記陰極には陰極側孔が形成されており、前記導電性膜には導電性膜側孔が形成されており、前記陰極と前記導電性膜とを積層させた状態で、前記陰極側孔と前記導電性膜側孔とが連通しており、
前記陰極側孔は、細長く延在し、前記陰極側孔の長手方向の少なくとも一部が前記通液方向に対して交差する方向に延在するように配置されており、
前記陰極側孔は、前記導電性膜側孔の配列と同一ピッチおよび同一方向に列設されていることを特徴とする電解液体生成装置。
【請求項２】
前記溝部の側面のうち前記通液方向の下流側の側面の少なくとも一部には、前記通液方向と直交する直交面と交差する交差面が形成されていることを特徴とする請求項１に記載の電解液体生成装置。
【請求項３】
前記陰極側孔は、前記流路内において前記液体の流速が大きい第一の領域に対応する部分が、前記第一の領域よりも流速が小さい第二の領域に対応する部分よりも下流側に位置するように配置されていることを特徴とする請求項１または２に記載の電解液体生成装置。
【請求項４】
請求項１〜３のうちいずれか１項に記載の電解液体生成装置を備える液体改質装置。
【請求項５】
請求項１〜４のうちいずれか１項に記載の電解液体生成装置で生成された電解液体を利用する電気機器。
【発明の詳細な説明】
【技術分野】
【０００１】
本発明は、液体を電解処理する電解液体生成装置、当該電解液体生成装置を備えた液体改質装置または当該電解液体生成装置で生成された電解液体を利用する電気機器に関するものである。
【背景技術】
【０００２】
従来、電解液体生成装置として、陽極と、導電性膜と、陰極とで構成された電解電極デバイスを有し、当該電解電極デバイスによりオゾン（電解生成物）を生成してオゾン水（電解液体）を得られるようにしたものが知られている（例えば、特許文献１参照）。
【０００３】
この特許文献１に記載の電解電極デバイスには、陰極に形成された孔と導電性膜に形成された孔とで構成された溝部が形成されており、当該溝部に水を導入することで導入された水を電解処理できるようになっている。
【先行技術文献】
【特許文献】
【０００４】
【特許文献１】特開２０１２−０１２６９５号公報
【発明の概要】
【発明が解決しようとする課題】
【０００５】
しかしながら、前記従来の構成では、溝部内に導入された水（液体）が、溝部内に滞留しやすくなっている。そのため、溝部に導入された水（液体）を電解処理することで得られるオゾン（電解生成物）も溝部内に滞留しやすくなる。その結果、オゾン（電解生成物）の溶解効率が低下してしまい、オゾン濃度（電解生成物濃度）が低下してしまうという課題を有していた。
【０００６】
本発明は、前記従来の課題を解決するもので、電解処理した液体の電解生成物濃度を高めることができる電解液体生成装置、電解液体生成装置を備えた液体改質装置または電解液体生成装置で生成された電解液体を利用する電気機器を提供することを目的とする。
【課題を解決するための手段】
【０００７】
前記従来の課題を解決するために、本発明の電解液体生成装置は、互いに隣り合う電極間に導電性膜が介在するように積層された積層体を有し、液体を電解処理する電解部と、前記電解部に供給される液体が流入する流入口と前記電解部で生成される電解液体が流出する流出口とを有し、通液方向が前記積層体の積層方向と交差する方向となるように形成された流路と、を備え、前記積層体には、前記流路に開口するとともに、前記導電性膜と前記電極との界面の少なくとも一部が露出する溝部が形成されており、前記互いに隣り合う電極が陰極と陽極であり、前記積層体は前記陰極側に前記流路が形成されるように配置されており、前記陰極には陰極側孔が形成されており、前記導電性膜には導電性膜側孔が形成されており、前記陰極と前記導電性膜とを積層させた状態で、前記陰極側孔と前記導電性膜側孔とが連通しており、前記陰極側孔は、細長く延在し、前記陰極側孔の長手方向の少なくとも一部が前記通液方向に対して交差する方向に延在するように配置されており、前記陰極側孔は、前記導電性膜側孔の配列と同一ピッチおよび同一方向に列設されている。
【０００８】
これによって、溝部内に電解生成物が滞留してしまうのが抑制され、電解処理した液体の電解生成物濃度を高めることができるようになる。
【発明の効果】
【０００９】
本発明の電解液体生成装置は、溝部内に電解生成物が滞留してしまうのが抑制され、電解処理した液体の電解生成物濃度を高めることができる。
【図面の簡単な説明】
【００１０】
【図１】本発明の実施の形態１にかかる電解液体生成装置の斜視図である。
【図２】本発明の実施の形態１にかかる電解液体生成装置を積層方向から視た図であ    る。
【図３】本発明の実施の形態１にかかる電解液体生成装置を通液方向流入側から視た図である。
【図４】本発明の実施の形態１にかかる電解液体生成装置の分解斜視図である。
【図５】本発明の実施の形態１にかかる電解電極デバイスの分解斜視図である。
【図６】本発明の実施の形態１にかかる陰極の斜視図である。
【図７】本発明の実施の形態１にかかる電解液体生成装置の一部を拡大して示す斜視図である。
【図８】図２のＡ−Ａ断面図である。
【図９】図２のＢ−Ｂ断面図である。
【図１０】図３のＣ−Ｃ断面図である。
【図１１】本発明の実施の形態１にかかる電解液体生成装置の陰極側孔内におけるオゾンの流れを示す図であって、幅方向から視た状態を一部拡大して示す断面図である。
【図１２】本発明の実施の形態１にかかる電解液体生成装置の流路における液体の流線を示す図であって、幅方向から視た状態を一部拡大して示す断面図である。
【図１３】本発明の実施の形態１にかかる電解液体生成装置の陰極側孔を溝部の開口側から視た状態を模式的に示す図である。
【図１４】本発明の実施の形態１にかかる電解液体生成装置の陰極側孔内におけるオゾンの流れを示す図であって、積層方向から視た状態を一部拡大して示す断面図である。
【図１５】本発明の実施の形態１の第１変形例にかかる溝部の陰極側孔内におけるオゾンの流れを示す図であって、幅方向から視た状態を一部拡大して示す断面図である。
【図１６】本発明の実施の形態１の第２変形例にかかる溝部の陰極側孔内におけるオゾンの流れを示す図であって、幅方向から視た状態を一部拡大して示す断面図である。
【図１７】本発明の実施の形態１の第３変形例にかかる溝部の陰極側孔内におけるオゾンの流れを示す図であって、幅方向から視た状態を一部拡大して示す断面図である。
【図１８】比較例にかかる電解液体生成装置を示す図であって、積層方向から視た状態を一部拡大して示す断面図である。
【図１９】比較例にかかる電解液体生成装置を示す図であって、幅方向から視た状態を一部拡大して示す断面図である。
【図２０】本発明の実施の形態２にかかる電気機器の内部構成を模式的に示す図である。
【図２１】本発明の実施の形態３にかかる電気機器の内部構成を模式的に示す図である。
【図２２】本発明の実施の形態４にかかる電気機器の内部構成を模式的に示す図である。
【図２３】本発明の実施の形態５にかかる電気機器の内部構成を模式的に示す図である。
【図２４】本発明の実施の形態６にかかる電気機器の内部構成を模式的に示す図である。
【図２５】本発明の実施の形態７にかかる液体改質装置の内部構成を模式的に示す図である。
【発明を実施するための形態】
【００１１】
本発明の実施の形態は、互いに隣り合う電極間に導電性膜が介在するように積層された積層体を有し、液体を電解処理する電解部と、前記電解部に供給される液体が流入する流入口と前記電解部で生成される電解液体が流出する流出口とを有し、通液方向が前記積層体の積層方向と交差する方向となるように形成された流路と、を備える電解液体生成装置であって、前記積層体には、前記流路に開口するとともに、前記導電性膜と前記電極との界面の少なくとも一部が露出する溝部が形成されており、前記溝部の側面のうち前記通液方向の下流側の側面の少なくとも一部には、前記通液方向と直交する直交面と交差する交差面が形成されており、前記積層方向から視た状態で、前記交差面における前記溝部の底面側の端縁が前記溝部の開口側端縁によって画成される領域における境界線を含む領域に存在するように、前記交差面が形成されているものである。
【００１２】
これによって、発生した電解生成物が交差面に沿って移動しやすくなるため、溝部内に電解生成物が滞留してしまうのが抑制されて、電解処理した液体の電解生成物濃度を高めることができるようになる。
【００１３】
また、前記交差面は、前記積層方向から視た状態で、前記交差面における前記溝部の開口側の端縁が描く線が、前記直交面が描く線に対して交差する方向に延在しているものである。
【００１４】
これによって、発生した電解生成物が交差面に沿って上流側から下流側に移動しやすくなるため、溝部内に電解生成物が滞留してしまうのが抑制されて、電解処理した液体の電解生成物濃度を高めることができるようになる。
【００１５】
また、前記互いに隣り合う電極が陰極と陽極であり、前記積層体は前記陰極側に前記流路が形成されるように配置されており、前記溝部は、前記陰極に形成されて前記積層方向に貫通した陰極側孔を有しており、前記陰極側孔は、長手方向の少なくとも一部が前記通液方向に対して交差する方向に延在するように配置されているものである。
【００１６】
これによって、溝部内の液体が上流側から下流側に移動しやすくなるため、発生した電解生成物も上流側から下流側により移動しやすくなる。その結果、溝部内に電解生成物が滞留してしまうのがより一層抑制されて、電解処理した液体の電解生成物濃度を高めることができるようになる。
【００１７】
また、前記陰極側孔は、前記流路内において前記液体の流速が大きい第一の領域に対応する部分が、前記第一の領域よりも流速が小さい第二の領域に対応する部分よりも下流側に位置するように配置されているものである。
【００１８】
これによって、発生した電解生成物が陰極側孔の傾斜に沿って流速が大きい第一の領域に移動することとなり、電解生成物の滞留をさらに抑制することができ、電解生成物濃度をより高めることができるようになる。
【００１９】
また、前記陰極側孔に前記交差面が形成されており、当該交差面は、前記溝部の開口側が上方となるように前記積層体を配置した状態で、前記導電性膜側から前記導電性膜側と反対側に向けて上向きとなるように配置されているものである。
【００２０】
これによって、発生した電解生成物が陰極側孔の傾斜面に沿って開口側に向けて移動しやすくなるため、電解生成物の滞留をさらに抑制することとなって、電解生成物濃度をより効率的に高めることができるようになる。
【００２１】
また、前記導電性膜は、前記積層方向に貫通するとともに前記陰極側孔と連通するように形成された導電性膜側孔を備えるものである。
【００２２】
これによって、電解生成物が生じやすい界面近傍の液体をより移動させやすくすることができ、発生した電解生成物が滞留して気泡に成長することを抑制することができるようになり、電解生成物濃度をより効率的に高めることができるようになる。
【００２３】
さらに、本発明の実施の形態は、前記電解液体生成装置を備える液体改質装置としたものである。
【００２４】
これによって、効果的に洗浄・殺菌することができる液体改質装置を得ることができるようになる。
【００２５】
また、本発明の実施の形態は、前記電解液体生成装置で生成された電解液体を利用する電気機器としたものである。
【００２６】
これによって、効果的に洗浄・殺菌することができる電気機器を得ることができるようになる。
【００２７】
以下、本発明の実施の形態について、図面を参照しながら説明する。なお、この実施の形態によって本発明が限定されるものではない。
【００２８】
また、以下では、電解液体生成装置として、オゾン（電解生成物）を発生させ、当該オゾンを水（液体）に溶解させることでオゾン水（電解液体）を生成するオゾン水生成装置を例示する。なお、オゾン水は、殺菌や有機物分解に有効であるため水処理分野や食品、医学分野において広く利用されており、残留性がないことや、副生成物を生成しないという利点を有するものである。
【００２９】
また、以下では、流路の延在方向を通液方向（前後方向）Ｘ、流路の幅方向を幅方向Ｙ、電極や導電性膜が積層される方向を積層方向（上下方向）Ｚとして説明する。
【００３０】
（実施の形態１）
実施の形態１にかかるオゾン水生成装置（電解液体生成装置）１は、図４に示すように、陽極（電極）４４と陰極（電極）４５との間（互いに隣り合う電極間）に、導電性膜４６が介在するように積層された積層体４１を有し、水（液体）を電解処理する電解部４０を備えている。
【００３１】
また、オゾン水生成装置（電解液体生成装置）１は、電解部４０に供給される水（液体）が流入する流入口７１と電解部４０で生成される電解液体が流出する流出口７２とを有し、通液方向（Ｘ方向）が積層体４１の積層方向（Ｚ方向）と交差する方向となるように形成された流路７０を備えている。
【００３２】
そして、積層体４１には、流路７０に開口するとともに、導電性膜４６と電極（陽極４４や陰極４５）との界面２７の少なくとも一部が露出する溝部４２が形成されている。
【００３３】
オゾン水生成装置（電解液体生成装置）１は、かかる構成とすることで、流入口７１から流路７０内に供給された水（液体）を、流路７０から溝部４２内に導入できるようにしている。そして、電源部８０から供給された電源により、主に溝部４２内に導入された水（液体）に電気化学反応を起こす電解処理を施すことで、オゾン（電解生成物）が溶解したオゾン水（電解水：電解液体）が生成されるようにしている。そして、生成されたオゾン水（電解水：電解液体）は、流路７０を介して流出口７２からオゾン水生成装置（電解液体生成装置）１の外部に流出されることとなる。
【００３４】
このように、オゾン水生成装置（電解液体生成装置）１は、水に電気化学反応を起こす電解処理をして、オゾン（電解生成物）が溶解したオゾン水（電解水：電解液体）を生成するものである。
【００３５】
オゾン水生成装置１は、ハウジング１０を備えており、このハウジング１０の内部に、電解部４０が配置されるとともに、流路７０が形成されている。
【００３６】
ハウジング１０は、アクリル等の非導電性の樹脂を用いて形成されており、流入側ケース１１と、本体ケース１２と、流出側ケース１３と、を備えている。
【００３７】
流入側ケース１１は、筒状部１１ａとフランジ部１１ｂとを備えており、筒状部１１ａの内部に連通路１１ｃが形成されている。この連通路１１ｃは流路７０の一部を構成するものである。
【００３８】
そして、連通路１１ｃにおける筒状部１１ａの先端側には、流路７０内に水（液体）を供給するための流入口１１ｄが形成されており、この流入口１１ｄが流路７０の流入口７１となっている。実施の形態１では、連通路１１ｃの流入口１１ｄ側に、先端（上流側）に向かうにつれて幅広となるテーパ部１１ｅが形成されている。
【００３９】
フランジ部１１ｂには締結部材１５を挿通するための挿通孔１１ｆが形成されている。また、フランジ部１１ｂの下流側には、Ｏリング１４を挿入するための溝部１１ｇが形成されている（図８参照）。
【００４０】
本体ケース１２は、筒状本体部１２ａと、筒状本体部１２ａの両端にそれぞれ形成されるフランジ部１２ｂ、１２ｃを備えており、筒状本体部１２ａの内部には、後述する電解電極デバイス２０を収容するための連通路１２ｄが形成されている。この連通路１２ｄに、電解電極デバイス２０を収容することで、流路７０の一部を構成する流路２１が形成される（図８参照）。
【００４１】
フランジ部１２ｂには締結部材１５を挿通するための挿通孔１２ｅが形成されており、この挿通孔１２ｅを挿通孔１１ｆに連通させた状態で締結部材１５を挿通することで、流入側ケース１１と本体ケース１２とが一体に取り付けられる。このとき、フランジ部１１ｂとフランジ部１２ｂとの間にはＯリング１４が介在しているため、隙間から水が流入側ケース１１および本体ケース１２外に流出してしまうのが抑制される。
【００４２】
また、フランジ部１２ｃには締結部材１７を挿通するための挿通孔１２ｆが形成されている。
【００４３】
流出側ケース１３は、筒状部１３ａとフランジ部１３ｂとを備えており、筒状部１３ａの内部に連通路１３ｃが形成されている。この連通路１３ｃも流路７０の一部を構成するものである。
【００４４】
そして、連通路１３ｃにおける筒状部１３ａの先端側（下流側）には、流路７０内の水
（液体）を流出するための流出口１３ｄが形成されており、この流出口１３ｄが流路７０の流出口７２となっている。また、実施の形態１では、連通路１３ｃの流出口１３ｄ側に、先端（下流側）に向かうにつれて幅広となるテーパ部１３ｅが形成されている。
【００４５】
フランジ部１３ｂには締結部材１７を挿通するための挿通孔１３ｆが形成されている。また、フランジ部１３ｂの上流側には、後述する電解電極デバイス２０の位置決め突起３９を挿入するための位置決め溝１３ｉ、Ｏリング１６を挿入するための溝部１３ｈが形成されている（図８参照）。
【００４６】
そして、挿通孔１３ｆを挿通孔１２ｆに連通させた状態で締結部材１７を挿通することで、流出側ケース１３と本体ケース１２とが一体に取り付けられる。このとき、フランジ部１３ｂとフランジ部１２ｃとの間にはＯリング１６が介在しているため、隙間から水が本体ケース１２および流出側ケース１３外に流出してしまうのが抑制される。
【００４７】
本実施の形態１では、電解部４０が組み込まれた電解電極デバイス２０を形成し、この電解電極デバイス２０を連通路１２ｄに収容するようにしている。
【００４８】
電解電極デバイス２０は、図５に示すように、電極ケース３０と、電解部４０と、電極押さえ部材５０と、流路調整部材６０とを備えている。
【００４９】
電極ケース３０は、中央部に電解部４０の給電体４３および陽極（電極）４４を収容するための溝部３１が形成されている。そして、溝部３１の幅方向（Ｙ方向）両側には、導電性膜４６および陰極（電極）４５の幅方向両端を配置するための載置部３２が形成されている。導電性膜４６および陰極（電極）４５の幅方向両端は、電解電極デバイス２０を組み付けた状態で、載置部３２と電極押さえ部材５０とで挟持される。
【００５０】
なお、電極ケース３０の中央部には、挿通孔３３が形成されており、この挿通孔３３に図示せぬ治具を挿入することで、電解部４０を電極ケース３０から容易に取り外すことができるようになっている。
【００５１】
さらに、電極ケース３０の上流側には、幅方向両端に突部３５がそれぞれ形成されるとともに、突部３５の間に切り欠き部３７が形成されている。この切り欠き部３７が流路２１の一部を構成している。
【００５２】
一方、電極ケース３０の下流側には、幅方向一端に突部３６が形成されており、幅方向中央部に切り欠き部３８が形成されている。この切り欠き部３８も流路２１の一部を構成するものである。切り欠き部３７、３８には、通液方向（Ｘ方向）中央部に向かうにつれて電極ケース３０が薄肉となるように傾斜したテーパ部３７ａ、３８ａがそれぞれ形成されている。
【００５３】
そして、幅方向他端には、切り欠き部３８よりもさらに切り欠かれた切り欠き部３４が形成されており、この切り欠き部３４に後述する導線引出部４５ｂが配置される。
【００５４】
そして、載置部３２には、締結部材２２を挿入するための挿通孔２２ａが形成されている。なお、導電性膜４６、陰極（電極）４５および電極押さえ部材５０にも挿通孔４６ａ、４５ａ、５１がそれぞれ形成されている。そして、載置部３２に導電性膜４６、陰極（電極）４５および電極押さえ部材５０の順に積層し、挿通孔２２ａ、４６ａ、４５ａ、５１を連通させた状態で締結部材２２を挿入することで、電解部４０が電極ケース３０と電極押さえ部材５０とで挟み込まれた状態で取り付けられるようになっている。さらに、電極押さえ部材５０を流路調整部材６０で覆うことで、内部に流路２１が形成された電解電極デバイス２０が組み付けられることになる。
【００５５】
このとき、流路２１は、切り欠き部３７、３８、電解部４０（陰極４５）の表面、電極押さえ部材５０の側面、流路調整部材６０の下面によって画成されることとなる。また、本実施の形態１では、流路調整部材６０は、Ｘ方向両側が中央部に較べて薄肉となるように、テーパ部６１，６２が形成されている（図８参照）。
【００５６】
本実施の形態１では、流路７０は、流入口７１から流出口７２まで略平坦な構成となるようにしている。すなわち、流路７０は、図３に示すように、Ｙ方向（幅方向）に幅広の長方形状に形成されている。さらに、本実施の形態１では、図８に示すように、流路７０は、陰極４５が存在する部分の流路の高さが他の部分よりも低く、陰極４５が存在する部分のＸ方向一端から他端までほぼ一定の高さとなるようにしている。すなわち、陰極４５の上部に形成される流路の断面積がほぼ同一となるようにしている。
【００５７】
また、本実施の形態１では、テーパ部６１，６２を形成することで、流路７０の陰極４５が存在する部分の流路に至るまでの断面積が、滑らかに変化するようにしている。
【００５８】
ところで、図１９に示すように、電解部４０を流路７０内に配置する構成とすると、流路７０内を流れる水は、電解部４０の存在によって局所的に流量が変化してしまい、水の流速が低くなる滞留部Ｅが発生してしまう。そして、このような滞留部Ｅが生じると、当該滞留部Ｅにおいてオゾン泡が大きくなってしまい、オゾンを水に溶解させる妨げとなってしまう。その結果、オゾンが気泡となって水中から放出されることになり、水中のオゾン濃度が低下してしまう。
しかしながら、本実施の形態１に示すように、流路７０の陰極４５が存在する部分の流路に至るまでの断面積を滑らかに変化させるようにすれば、図１９の構成と比べて、流路７０内の水流が乱れてしまうことを抑制することができる。その結果、流路７０内に滞留部が生じてしまうのが抑制されて、発生したオゾンが気泡に成長してしまうことを抑制することができるようになり、流出口７２から流出されるオゾン水のオゾン濃度を向上させることができるようになる。
【００５９】
次に、電解部４０の具体的な構成について説明する。
【００６０】
電解部４０は、図５に示すように、陽極４４、導電性膜４６、陰極４５の順に積層することで構成される積層体４１を備えている。このように、本実施の形態１では、積層体４１は、互いに隣り合う電極（陽極４４および陰極４５）間に導電性膜４６が介在するように積層されている。なお、本実施の形態１では、陽極４４の下側に、例えば、チタン製の給電体４３が積層されており、この給電体４３を介して陽極４４に電気が供給されるようになっている。
【００６１】
さらに、本実施の形態１では、積層体４１には、流路７０に開口する開口４２ａを有する溝部４２が形成されており、この溝部４２は、導電性膜４６と陰極４５との界面４７の少なくとも一部が水（液体）と接触できるように構成されている。また、導電性膜４６と陽極４４との界面４７の少なくとも一部も水（液体）と接触できるように構成されている。
【００６２】
具体的には、陰極４５には陰極側孔４５ｃが形成されており、導電性膜４６には導電性膜側孔４６ｂが形成されている。そして、陰極４５と導電性膜４６とを積層させた際に、陰極側孔４５ｃと導電性膜側孔４６ｂとが連通するようにしている。
【００６３】
したがって、導電性膜４６の側面４６ｃおよび陰極４５の側面４５ｄが溝部４２の側面４２ｃとなり、陽極４４の上面（表面）４４ａが溝部４２の底面４２ｂとなっている。このような溝部４２を形成することで、導電性膜４６と陰極４５との界面（導電性膜と電極との界面）４７の少なくとも一部を溝部４２に露出することとなり、溝部４２に露出する界面４７に水が自由に接触できるようになる。また、導電性膜４６と陽極４４との界面（導電性膜と電極との界面）４７の少なくとも一部も溝部４２に露出することとなり、溝部４２に露出する界面４７に水が自由に接触できるようになる。
【００６４】
本実施の形態１では、複数の溝部４２をＸ方向に１列に形成しているが、溝部４２は少なくとも１個形成されていればよい。
【００６５】
なお、本実施の形態１における導電性膜４６と陰極４５との界面４７とは、陰極４５の側面と導電性膜４６の側面との境界線のことである。また、導電性膜４６と陽極４４との界面４７とは、陽極４４の表面と導電性膜４６の側面との交線のことである。
【００６６】
また、導電性膜４６と陰極４５とは同じ大きさでもよいし、異なっていてもよいが、少なくとも相互の孔（陰極側孔４５ｃおよび導電性膜側孔４６ｂ）同士が連通している必要があり、また、電気的な接触面積が十分確保されている必要がある。そのため、これらを勘案すると、導電性膜４６と陰極４５とはほぼ同じ投影寸法である（積層方向Ｚから視た状態でほぼ同じ大きさとなる）ことが好ましい。
【００６７】
また、陽極４４は、導電性膜４６や陰極４５と同じ大きさでもよいし、異なっていてもよいが、積層方向Ｚから視た際に、全ての溝部４２から見える程度以上の大きさであることが好ましい。
【００６８】
電解部４０は、導電性膜４６からのイオン供給および電源部８０からの電流を受けて、陽極４４と導電性膜４６との界面４７においてオゾンを電気化学的に生成させる電解処理を行うものである。
【００６９】
この電気化学反応は、以下の通りである。
【００７０】
陽極側：３Ｈ2Ｏ→Ｏ3＋６Ｈ+＋６ｅ-
２Ｈ2Ｏ→Ｏ2＋４Ｈ+＋４ｅ-
陰極側：２Ｈ+＋２ｅ-→Ｈ2
給電体４３は、チタンを用いて形成することができ、導電性膜４６とは反対側で陽極４４と接触するように構成されている。この給電体４３の一端には導線引出部４３ａが形成されており、給電体４３は、導線引出部４３ａに接続された陽極８２側の導線８２ａを介して電源部８０に電気的に接続されている。
【００７１】
なお、導線引出部４３ａは、クランク状に突出した形状をしており、流路２１が形成される部分から外れた位置（積層方向Ｚから視た状態で流路２１が形成される領域の外側）で導線８２ａが接続されるようにしている。こうすることで、導線８２ａを流路２１内に突出することなく配置することができるようになる。
【００７２】
陽極４４は、シリコンを用いて形成した幅１０ｍｍ、長さ５０ｍｍ程度の導電性基板に導電性ダイヤモンド膜を成膜することで形成することができる。この導電性ダイヤモンド膜は、ボロンドーブ導電性を有するものである。導電性ダイヤモンド膜は、プラズマＣＶＤ法によって、３μｍ程度の膜厚で導電性基板上に形成される。
【００７３】
なお、本実施の形態１では、陽極４４および陰極４５の形状を板状としているが、陽極４４や陰極４５は、膜状、網目状、線状であってもよい。
【００７４】
導電性膜４６は、導電性ダイヤモンド膜が形成された陽極４４上に配置されている。この導電性膜４６は、プロトン導電型のイオン交換フィルムであり、１００〜２００μｍ程度の厚みを有している。そして、この導電性膜４６には、図４に示すように、厚み方向（Ｚ方向）に貫通した導電性膜側孔４６ｂが複数形成されている。
【００７５】
本実施の形態１では、各導電性膜側孔４６ｂを同一形状に設けている。また、複数の導電性膜側孔４６ｂは、Ｘ方向に一列となるように設けている。なお、導電性膜側孔４６ｂの形状および配列は別の形態であってもよい。
【００７６】
陰極４５は、導電性膜４６上に配置されている。陰極４６は、例えば厚みが１ｍｍ程度のステンレスの電極板からなるものである。この陰極４５には、図４に示すように、厚み方向に貫通した陰極側孔４５ｃが、複数形成されている。
【００７７】
この陰極側孔４５ｃは、導電性膜側孔４６ｂと同一又は互いに近似した開口形状を有している。また、陰極側孔４５ｃは、導電性膜側孔４６ｂの配列と同一ピッチ、同一方向に列設されている。
【００７８】
また、陰極４５の一端には導線引出部４５ｂが形成されており、陰極４５は、導線引出部４５ｂに接続された陰極８１側の導線８１ａを介して電源部８０に電気的に接続されている。なお、導線引出部４５ｂも、流路２１が形成される部分から外れた位置（積層方向
Ｚから視た状態で流路２１が形成される領域の外側）で導線８１ａが接続されるようにしている。こうすることで、導線８１ａを流路２１内に突出することなく配置することができる。
【００７９】
また、導線引出部４５ｂは、陰極４５を電極ケース３０上に配置した状態で、切り欠き部３４上に配置されることになるが、この導線引出部４５ｂ上部は、一方の電極押さえ部材５０に形成された延設部５２によって覆われるようになっている。
【００８０】
そして、電解電極デバイス２０は、複数の溝部４２の並設方向を前後方向Ｘに略一致させた状態で、連通路１２ｄに組み入れられている。このように、溝部４２の延在方向を前後方向Ｘに略一致させた状態で電解電極デバイス２０を連通路１２ｄ内に収容することで、流路２１（流路７０）内に通水される水の通水方向（通液方向）が前後方向Ｘとなるようにしている。
【００８１】
電源部８０は、陽極４４と陰極４５との間に導電性膜４６を介して電位差を生じさせるものである。この電源部８０の陽極８２側には、陽極４４が導線８２ａを介して電気的に接続されており、電源部８０の陰極８１側には、陰極４５が導線８１ａを介して電気的に接続されている。この電源部８０は図示せぬ配線を介して図示せぬ制御部に電気的に接続させることができ、制御部に接続することにより、電源部８０のオン、オフを切り替えたり、出力を変化させたりすることができるようになる。
【００８２】
次に、かかる構成をしたオゾン水生成装置（電解液体生成装置）１の動作、作用について説明する。
【００８３】
まず、オゾン水生成装置（電解液体生成装置）１へ水（液体）を供給するために、流入口７１から流路７０へと水（液体）を供給する。
【００８４】
そして、流路２１へと供給された水の一部が溝部４２内に流入して、溝部４２の界面４７に接触する。
【００８５】
かかる状態（供給された水によって電解部４０を水中に浸した状態）で、電源部８０をオンにして、電源部８０により電解部４０の陽極４４と陰極４５との間に電圧を印加すると、陽極４４と陰極４５との間には導電性膜４６を介して電位差が生じる。このように、陽極４４と陰極４５との間に電位差を生じさせることで、陽極４４、導電性膜４６および陰極４５が通電し、溝部４２内の水中にて電解処理がなされ、導電性膜４６と陽極４４との界面４７近傍でオゾンが発生する。
【００８６】
このとき印加される電圧は数ボルト〜数十ボルトであり、電圧が高いほど（電流値が高いほど）オゾンの発生量が大きくなる。
【００８７】
そして、導電性膜４６と陽極４４との界面４７近傍で発生したオゾンは、水の流れに沿って流路７０の下流側へと運ばれながら水に溶解する。このように、オゾンを水に溶解させることで溶存オゾン水（オゾン水）が生成される。
【００８８】
ところで、図１８および図１９に示すように、溝部４２の形状が略直方体状をしており、溝部４２の側面４２ｃのうち通液方向（Ｘ方向）の下流側の側面４２ｄが、通液方向（Ｘ方向）と直交する直交面４２ｈとなっていると、溝部４２内の水を流路２１（流路７０）に戻すことが難しく、溝部４２内の直交面４２ｈの近傍に滞留部Ｄが発生し、水が滞留部Ｄに滞留してしまうことがあった。このように、水が溝部４２内に滞留してしまうと、滞留部Ｄにおいてオゾン泡が大きくなってしまい、オゾンを水に溶解させる妨げとなってしまう。その結果、オゾン（電解生成物）の溶解効率が低下してしまい、オゾン濃度（電解生成物濃度）が低下してしまう。
【００８９】
そこで、本実施の形態１では、溝部内に電解生成物が滞留してしまうのを抑制できるようにし、電解処理した液体の電解生成物濃度を高めることができるようにした。
【００９０】
具体的には、溝部４２の側面４２ｃのうち通液方向（Ｘ方向）の下流側の側面４２ｄの少なくとも一部に、通液方向（Ｘ方向）と直交する直交面４２ｈ（図１９参照）と交差する交差面４２ｅを形成した。
【００９１】
本実施の形態１では、Ｙ方向（幅方向）に細長く延在する溝部のＹ方向両端を上流側に折り曲げた形状となるように、溝部４２を形成した。すなわち、陰極に形成されて積層方向（Ｚ方向）に貫通した陰極側孔４５ｃを、屈曲点部分が下流側に配置されるＶ字状に形成した。こうすることで、陰極側孔４５ｃは、長手方向の少なくとも一部が通液方向（Ｘ方向）に対して交差する方向に延在するように配置されることとなる。
【００９２】
そして、導電性膜４６に形成されて積層方向（Ｚ方向）に貫通した導電性膜側孔４６ｂも、屈曲点部分が下流側に配置されるＶ字状に形成し、陰極側孔４５ｃおよび導電性膜側孔４６ｂを連通させることで溝部４２がＶ字状となるようにした。
【００９３】
こうすることで、積層方向（Ｚ方向）から視た状態で、交差面４２ｅにおける溝部４２の開口４２ａ側の端縁４２ｆが描く線が、直交面４２ｈが描く線４２ｉ（図１８参照）に対して交差する方向に延在するようになる。
【００９４】
さらに、導電性膜４６が、積層方向（Ｚ方向に）に貫通するとともに陰極側孔４５ｃと連通するように形成された導電性膜側孔４６ｂを備えることとなる。
【００９５】
また、流路２１（流路７０）は、Ｙ方向中央部が、流速が大きい第一の領域Ｒ２となっており、第１の領域Ｒ２のＹ方向両側（幅方向両側）が、第一の領域Ｒ２よりも流速が小さい第二の領域Ｒ３となっている。
【００９６】
したがって、流路２１内において液体の流速が大きい第一の領域Ｒ２に対応する部分が、第一の領域Ｒ２よりも流速が小さい第二の領域Ｒ３に対応する部分よりも下流側に位置するように溝部４２が配置されていることになる。
【００９７】
また、本実施の形態１では、陰極側孔４５ｃに交差面４２ｅが形成されている。
【００９８】
そして、陰極側孔４５ｃに形成された交差面４２ｅを、溝部４２の開口４２ａ側が上方となるように積層体４１を配置した状態で、導電性膜４６側（溝部４２の底面４２ｂ側）から導電性膜４６側と反対側（溝部４２の開口４２ａ側）に向けて上向きとなるように傾斜させている。
【００９９】
したがって、溝部４２の開口４２ａ側が上方となるように積層体４１を配置した状態で、上から溝部４２を視ると、図１３に示すように、交差面４２ｅにおける溝部４２の底面４２ｂ側の端縁４２ｇが溝部４２の開口４２ａ側の端縁４２ｆによって画成される領域における境界線Ｃを含む領域Ｒ１に存在することになる。
【０１００】
言いかえると、交差面４２ｅにおける溝部４２の底面４２ｂ側の端縁４２ｇが、溝部４２の開口４２ａ側の端縁４２ｆによって画成される境界線Ｃを含んだ境界線Ｃ内の領域である領域Ｒ１に存在することになる。
【０１０１】
なお、境界線Ｃは、溝部４２の開口４２ａ側の端縁４２ｆによって描かれる閉曲線である。
【０１０２】
溝部４２の形状を上記のようにすることで、発生したオゾンが陰極側孔４５ｃの傾斜に沿って移動することとなり、オゾンが滞留して気泡に成長してしまうのが抑制されることになる。その結果、電解処理した水のオゾン濃度を高めることができるようになる。
【０１０３】
なお、交差面４２ｅは、上から視た状態で、通液方向と交差しているが、溝部４２の底面４２ｂに対しては垂直になっていてもよい。
【０１０４】
また、直交面４２ｈの開口４２ａ側の端縁を下流側に傾かせることで交差面４２ｅを形成するようにしてもよい。
【０１０５】
なお、本実施の形態１では、図１１に示すように、導電性膜側孔４６ｂの側面４６ｃは、溝部４２の底面４２ｂに対して垂直に形成されている。しかしながら、図１５に示すように、導電性膜側孔４６ｂの側面４６ｃも、陰極側孔４５ｃの側面４５ｄと同様に傾斜させた溝部４２Ａとすることも可能である。こうすれば、底面４２ｂ側に存在する水をよりスムーズに流路２１に戻すことができる。
【０１０６】
また、図１６に示す形状の溝部４２Ｂとすることも可能である。
【０１０７】
図１６では、陰極側孔４５ｃは、幅方向両端を２カ所で屈曲させた形状をしている。
【０１０８】
また、図１６においても、陰極側孔４５ｃは、流路２１内において液体の流速が大きい第一の領域Ｒ２に対応する部分が、第一の領域Ｒ２よりも流速が小さい第二の領域Ｒ３に対応する部分よりも下流側に位置するように形成されている。
【０１０９】
かかる構成としても、陰極側孔４５ｃは、長手方向の一部が通液方向（Ｘ方向）に対して傾斜するように配置されているので、発生したオゾンを陰極側孔４５ｃの傾斜に沿って移動させることができる（図１６の矢印参照）。これにより、オゾンが滞留して気泡に成長してしまうのが抑制されることになる。その結果、電解処理した水のオゾン濃度を高めることができるようになる。
【０１１０】
また、図１７に示す形状の溝部４２Ｃとすることも可能である。
【０１１１】
図１７では、陰極側孔４５ｃは、流路７０内において水の流速が大きい第一の領域Ｒ２に対応する部分を第一の領域Ｒ２より流速が小さい第二の領域Ｒ３に対応する部分より上流側に配置した形状をしている。
【０１１２】
かかる構成としても、陰極側孔４５ｃは、長手方向の一部が通液方向（Ｘ方向）に対して傾斜するように配置されているので、発生したオゾンを陰極側孔４５ｃの傾斜に沿って移動させることができる（図１６の矢印参照）。これにより、オゾンが滞留して気泡に成長してしまうのが抑制されることになる。その結果、電解処理した水のオゾン濃度を高めることができるようになる。
【０１１３】
以上、説明したように、本実施の形態１では、オゾン水生成装置（電解液体生成装置）１は、互いに隣り合う電極（陽極４４および陰極４５）間に導電性膜４６が介在するように積層された積層体４１を有し、液体を電解処理する電解部４０を備えている。
【０１１４】
また、オゾン水生成装置（電解液体生成装置）１は、電解部４０に供給される液体が流入する流入口７１と電解部４０で生成される電解液体が流出する流出口７２とを有し、通液方向（Ｘ方向）が積層体４１の積層方向（Ｚ方向）と交差する方向となるように形成された流路７０を備えている。
【０１１５】
そして、積層体４１には、流路７０に開口するとともに、導電性膜４６と電極（陽極４４および陰極４５）との界面４７の少なくとも一部が露出する溝部４２が形成されている。
【０１１６】
さらに、溝部４２の側面４２ｃのうち通液方向の下流側の側面４２ｄの少なくとも一部には、通液方向と直交する直交面４２ｈと交差する交差面４２ｅが形成されている。
【０１１７】
そして、この交差面４２ｅは、積層方向から視た状態で、交差面４２ｅにおける溝部４２の底面４２ｂ側の端縁４２ｇが溝部４２の開口４２ａ側の端縁４２ｆによって画成される領域における境界線Ｃを含む領域Ｒ１に存在するように、形成されている。
【０１１８】
これによって、発生したオゾン（電解生成物）が交差面４２ｅに沿って移動しやすくなるため、溝部４２内にオゾン（電解生成物）が滞留してしまうのが抑制されて、電解処理した水（液体）のオゾン濃度（電解生成物濃度）を高めることができるようになる。
【０１１９】
また、交差面４２ｅは積層方向から視た状態で、交差面４２ｅにおける溝部４２の開口４２ａ側の端縁４２ｇが描く線が、直交面４２ｈが描く線４２ｉに対して交差する方向に延在しているものである。
【０１２０】
これによって、発生したオゾン（電解生成物）が交差面４２ｅに沿って上流側から下流側に移動しやすくなるため、溝部４２内にオゾン（電解生成物）が滞留してしまうのが抑制されて、電解処理した水（液体）のオゾン濃度（電解生成物濃度）を高めることができるようになる。
【０１２１】
また、互いに隣り合う電極が陰極４５と陽極４４であり、積層体は陰極４５側に流路７０が形成されるように配置されており、溝部４２は、陰極４５に形成されて積層方向に貫通した陰極側孔４５ｃを有しており、陰極側孔４５ｃは、長手方向の少なくとも一部が通液方向に対して交差する方向に延在するように配置されているものである。
【０１２２】
これによって、溝部４２内の液体が上流側から下流側に移動しやすくなるため、発生したオゾン（電解生成物）も上流側から下流側により移動しやすくなる。その結果、溝部４２内にオゾン（電解生成物）が滞留してしまうのがより一層抑制されて、電解処理した水（液体）のオゾン濃度（電解生成物濃度）を高めることができるようになる。
【０１２３】
また、陰極側孔４５ｃは、流路７０内において液体の流速が大きい第一の領域Ｒ２に対応する部分が、第一の領域Ｒ２よりも流速が小さい第二の領域Ｒ３に対応する部分よりも下流側に位置するように配置されているものである。
【０１２４】
これによって、発生したオゾン（電解生成物）が陰極側孔４５ｃの傾斜に沿って流速が大きい第一の領域Ｒ２に移動することとなり、オゾン（電解生成物）の滞留をさらに抑制することができ、オゾン濃度（電解生成物濃度）をより高めることができるようになる。
【０１２５】
また、陰極側孔４５ｃに交差面４２ｅが形成されており、当該交差面４２ｅは、溝部４２の開口４２ａ側が上方となるように積層体４１を配置した状態で、導電性膜４６側から導電性膜４６側と反対側に向けて上向きとなるように配置されているものである。
【０１２６】
これによって、発生したオゾン（電解生成物）が陰極側孔４５ｃの傾斜面に沿って開口４２ａ側に向けて移動しやすくなるため、オゾン（電解生成物）の滞留をさらに抑制することとなって、オゾン濃度（電解生成物濃度）をより効率的に高めることができるようになる。
【０１２７】
また、導電性膜４６は、積層方向に貫通するとともに陰極側孔４５ｃと連通するように形成された導電性膜側孔４６ｂを備えるものである。
【０１２８】
これによって、オゾン（電解生成物）が生じやすい界面４７近傍の水（液体）をより移動させやすくすることができ、発生したオゾン（電解生成物）が滞留して気泡に成長することを抑制することができるようになり、オゾン濃度（電解生成物濃度）をより効率的に高めることができるようになる。
【０１２９】
次に、電解液体生成装置で生成された電解液体を利用する電気機器および電解液体生成装置を備える液体改質装置について説明する。
【０１３０】
なお、電気機器や液体改質装置としては、浄水装置等の水処理機器や、洗濯機、食洗機、温水洗浄便座、冷蔵庫、給湯給水装置、殺菌装置、医療用機器、空調機器、または厨房機器等があげられる。
【０１３１】
（実施の形態２）
実施の形態２では、本発明にかかる電解液体生成装置１を利用する電気機器について説明する。
【０１３２】
図２０には、電解液体生成装置１を利用する電気機器としての洗浄機１００Ａを一例として示している。
【０１３３】
洗浄機１００Ａは、洗浄機本体１００を備えており、この洗浄機本体１００には、使用
者により操作される操作盤１１７および操作盤１１７を操作することで洗浄機１００Ａの動作等を制御する制御手段１１８が設けられている。
【０１３４】
また、洗浄機本体１００の内部には水受け槽１０８が設けられており、この水受け槽１０８の内部には洗浄槽１０９が設置されている。この洗浄槽１０９は、モータ１０６および回転軸１０７に接続されており、水受け槽１０８の内部で回転できるようになっている。なお、水受け槽１０８は支柱１１０により洗浄機本体１００の内部に固定されている。
また、洗浄機本体には蓋１２０が開閉可能に取り付けられており、蓋１２０を開くことで、被洗浄物を洗浄槽１０９の内部に投入したり、洗浄槽１０９の内部から取り出したりすることができるようになっている。
【０１３５】
また、洗浄機本体１００の内部には、水道水などの水を水受け槽１０８に導入する給水配管１０２および給水配管１０４が設置されている。給水配管１０２は、例えば、家庭用水道配管に蛇口等を介して接続される。一方、給水配管１０４は、給水口１０５を介して水受け槽１０８に接続されている。そして、給水配管１０２と給水配管１０４の間には、給水弁１０１、電解液体生成装置１、および薬剤ケース１０３が設けられており、給水配管１０４から水受け槽１０８内に、洗浄に適した水を導入することができるようになっている。
【０１３６】
また、水受け槽１０８に導入された水は、循環手段によって循環させることができるようになっている。具体的には、水を循環するための循環ポンプ１１１および循環弁１１９が循環配管１１２に設置されており、水受け槽１０８に接続された循環水入口１１３から水を吸引し、循環水出口１１４から散水させることができるようになっている。また、洗浄機本体１００には排水手段１１５も設けられており、水受け槽１０８に導入された水を排水手段１１５によって排水管１１６から排水できるようにもなっている。
【０１３７】
次に、実施の形態２にかかる洗浄機１００Ａの動作、作用を説明する。
【０１３８】
まず、使用者が操作盤１１７を操作し、洗浄機１００Ａを起動させると、制御手段１１８によって給水弁１０１が開放され、給水配管１０２、給水配管１０４、洗浄給水口１０５を通じ、水が水受け槽１０８の内部に導入される。このとき、電解液体生成装置１によって生成された電解液体に、必要に応じて、薬剤ケース１０３から薬剤溶液が調合された水（洗浄に適した水）が水受け槽１０８の内部に導入される。
【０１３９】
そして、水受け槽１０８の内部に導入された水は水受け槽１０８に貯水される。そして、図示せぬ水位を検知する検知手段によって一定水位となるように給水された後に、給水弁１０１が閉じられる。
【０１４０】
そして、水受け槽１０８の内部に設置された洗浄槽１０９がモータ１０６によって水受け槽１０８の内部で回転し、被洗浄物が洗浄される。
【０１４１】
このとき、制御手段１１８によって循環弁１１９を開くとともに、循環ポンプ１１１を作動させる。すると、水受け槽１０８の内部の水が循環水入口１１３から吸引されて、循環水出口１１４から水受け槽１０８の内部に散水される。なお、洗浄機１００Ａには、水受け槽１１８および洗浄槽１０９を閉じるための蓋１２０が設けられているため、洗浄機本体１００内の他の部分や洗浄機本体１００の外部に水が漏れてしまうのが抑制される。
【０１４２】
そして、洗浄終了後には、排水手段１１５が動作し、洗浄槽１０９および水受け槽１０８の内部の水が排水管１１６から洗浄機本体１００の外部に排水される。
【０１４３】
かかる構成とすることで、洗浄槽１０９の内部に、薬剤だけでなく、必要に応じて電解液体を含んだ水を導入することができるようになるため、被洗浄物の洗浄効果をより向上させることができるようになる。また、電解液体を含んだ水を被洗浄物に含浸させながら洗浄槽１０９を回転させているため、より効果的に被洗浄物を洗浄することができるようになる。その結果、洗浄時間の短縮化を図ることや、省エネ化を図ることができるようになる。
【０１４４】
（実施の形態３）
実施の形態３においても、本発明にかかる電解液体生成装置１を利用する電気機器について説明する。
【０１４５】
図２１には、電解液体生成装置１を利用する電気機器としての洗浄機１００Ｂを一例として示している。この洗浄機１００Ｂは、基本的には、上記実施の形態２の洗浄機１００Ａと同様の構成をしている。したがって、以下では、相違する事項についてのみ説明し、同様の構成や作用効果等を有するものについては説明を省略する。
【０１４６】
実施の形態３の洗浄機１００Ｂが上記実施の形態２の洗浄機１００Ａと主に異なる部分は、電解溶液生成装置１が循環配管１１２の途中に設置されている点にある。
【０１４７】
かかる構成とすることでも、上記実施の形態２の洗浄機１００Ａとほぼ同様の作用、効果を奏することができる。
【０１４８】
また、電解溶液生成装置１を循環配管１１２の途中に設置することで、洗浄時に循環させる洗浄用の溶液そのものを電解溶液に変化させることができるようになるため、被洗浄物の洗浄力をより向上させることができるようになる。
【０１４９】
（実施の形態４）
実施の形態４においても、本発明にかかる電解液体生成装置１を利用する電気機器について説明する。
【０１５０】
図２２には、電解液体生成装置１を利用する電気機器としての洗浄機１００Ｃを一例として示している。この洗浄機１００Ｃは、基本的には、上記実施の形態２の洗浄機１００Ａと同様の構成をしている。したがって、以下では、相違する事項についてのみ説明し、同様の構成や作用効果等を有するものについては説明を省略する。
【０１５１】
実施の形態４の洗浄機１００Ｃが上記実施の形態２の洗浄機１００Ａと主に異なる部分は、水受け槽１０８が水受け槽支持部１２３および水受け槽支持手段１２４によって、洗浄機本体１００の内部に設置されている点にある。
【０１５２】
また、洗浄機１００Ｃは、水受け槽１０８の内部には洗浄槽１０９が設置されており、この洗浄槽１０９がモータ１０６および回転軸１０７に接続されている点は、洗浄機１００Ａと同じである。しかしながら、洗浄機１００Ｃでは、洗浄槽１０９の内部で回転できる回転翼１２１が設置されている。
【０１５３】
また、水受け槽１０８と洗浄槽１０９の間には、回転軸１０７に固定されている揚水翼１２２が設置されている。この揚水翼１２２は、モータ１０６の回転に同期して回転するものである。そして、この揚水翼１２２を設けることで、洗浄槽１０９の内部の溶液が回転翼１２１によって攪拌されるだけでなく、揚水翼１２２によって水受け槽１０８と洗浄槽１０９の間に揚水され、上部に設けた洗浄槽開口部１２５から散水、循環させることができるようになる。
【０１５４】
なお、洗浄機１００Ｃにおいても、洗浄機１００Ａと同様に、電解液体生成装置１が給水配管１０２と給水配管１０４の間に設けられている。
【０１５５】
かかる構成とすることで、被洗浄物を物理的に洗浄するだけでなく、生成された電解溶液によって化学的に洗浄することもできるようになるため、洗浄効果をより高めることができるようになる。
【０１５６】
（実施の形態５）
実施の形態５においても、本発明にかかる電解液体生成装置１を利用する電気機器について説明する。
【０１５７】
図２３には、電解液体生成装置１を利用する電気機器としての食器洗浄機２００Ａを一例として示している。
【０１５８】
食器洗浄機２００Ａは、食器洗浄機本体２００を備えており、この食器洗浄機本体２００には、使用者が操作することで食器洗浄機２００Ａの動作等を制御する制御手段２１６が設けられている。
【０１５９】
また、食器洗浄機本体２００の内部には、食器格納庫２０１が形成されており、この食器格納庫２０１の内部には、洗浄する食器（被洗浄物）２１７を配置するための食器固定部２１２が配置されている。
【０１６０】
また、食器洗浄機本体２００の内部には貯水部２０５が設けられており、この貯水部２０５の内部にはメッシュ２０６が設置されている。
【０１６１】
また、食器洗浄機本体２００の内部には、水道水などの水を貯水部２０５に導入する給水配管２０２および給水配管２０４が設置されている。給水配管２０２は、例えば、家庭用水道配管に蛇口等を介して接続される。一方、給水配管２０４は、給水配管２０２に導入された水を貯水部２０５に導入する配管である。そして、給水配管２０２と給水配管２０４の間には、給水弁２０３および電解液体生成装置１が設けられており、給水配管２０４から貯水部２０５内に、洗浄に適した水を導入することができるようになっている。
【０１６２】
そして、貯水部２０５におけるメッシュ２０６の下部には、貯水部２０５内の水を、散水部２１０に接続された散水パイプ２０９に導入するための循環配管２０７が設けられている。なお、散水部２１０は中空となるように形成されており、当該散水部２１０の少なくとも１箇所以上に噴射口２１１が設置されている。また、散水部２１０は散水パイプ２０９に対して回転自在に設置されている。
【０１６３】
また、貯水部２０５に導入された水は、循環手段によって循環させることができるようになっている。具体的には、機器格納部２１３の内部には、水を循環するための循環ポンプ２０８が設置されている。具体的には、機器格納部２１３の内部に配置される循環配管２０７に循環ポンプが設置されている。そして、貯水部２０５に接続された循環配管２０７から水を吸引し、散水部２１０の噴射口２１１から散水させることができるようになっている。また、食器洗浄機本体２００には排水手段２１４も設けられており、貯水部２０５に導入された水を排水手段２１４によって排水管２１５から排水できるようにもなっている。
【０１６４】
次に、実施の形態５にかかる食器洗浄機２００Ａの動作、作用を説明する。
【０１６５】
まず、使用者が制御手段２１６を操作し、食器洗浄機２００Ａを起動させると、制御手段２１６によって給水弁２０３が開放され、給水配管２０２、給水配管２０４を通じ、水が貯水部２０５の内部に導入される。このとき、電解液体生成装置１によって生成された電解液体（洗浄に適した水）が貯水部２０５の内部に導入される。
【０１６６】
そして、貯水部２０５の内部に導入された水は貯水部２０５に貯水される。そして、図示せぬ水位を検知する検知手段によって一定水位となるように給水された後に、給水弁２０３が閉じられる。
【０１６７】
そして、循環ポンプ２０８を作動させると、貯水部２０５の内部の水が循環配管２０７から循環ポンプ２０８に送り込まれ、散水パイプ２０９を通じて散水部２１０に導入される。そして、散水部２１０の噴射口２１１から食器格納庫２０１の内部に散水されて、食器固定部２１２に配置された食器（被洗浄物）２１７が洗浄される。このとき、循環ポンプ２０８によって供給された水が噴射口２１１から出る際の反作用力によって、散水パイプ２０９に回転自在に設置された散水部２１０が回転する。そのため、食器格納庫２０１の内部の食器（被洗浄物）２１７に水（洗浄液）をむらなく散水させることができ、当該食器（被洗浄物）２１７をより効率的に洗浄することができる。そして、散水した水は、食器を洗浄しながら食器格納庫２０１の内部の下部に設けられた貯水部２０５へ戻り、循環ポンプ２０８によって再び散水部２１０に送り込まれることになる。こうして、食器（被洗浄物）２１７の洗浄が繰り返し行われる。なお、食器格納庫２０１の内部に散水された水は、食器（被洗浄物）２１７に付着していた固形状の付着物等をメッシュ２０６によって補足させた状態で、貯水部２０５に戻されるようになっている。
【０１６８】
そして、洗浄終了後には、排水手段２１４が動作し、貯水部２０５の内部の水が排水管２１５から食器洗浄機本体２００の外部に排水される。
【０１６９】
かかる構成とすることで、食器格納庫２０１内部に配置された食器（被洗浄物）２１７に、必要に応じて電解液体を含んだ水を散水することができるようになるため、食器（被洗浄物）２１７の洗浄効果をより向上させることができるようになる。その結果、洗浄時間の短縮化を図ることや、省エネ化を図ることができるようになる。
【０１７０】
なお、電解液体生成装置１によって生成された電解液体に、必要に応じて、薬剤溶液を調合させた水を洗浄水として用いることも可能である。
【０１７１】
（実施の形態６）
実施の形態６においても、本発明にかかる電解液体生成装置１を利用する電気機器について説明する。
【０１７２】
図２４には、電解液体生成装置１を利用する電気機器としての食器洗浄機２００Ｂを一例として示している。この食器洗浄機２００Ｂは、基本的には、上記実施の形態５の食器洗浄機２００Ａと同様の構成をしている。したがって、以下では、相違する事項についてのみ説明し、同様の構成や作用効果等を有するものについては説明を省略する。
【０１７３】
実施の形態６の食器洗浄機２００Ｂが上記実施の形態５の食器洗浄機２００Ａと主に異なる部分は、電解溶液生成装置１が、循環ポンプ２０８の後段（下流側）である散水パイプ２０９の途中に設置されている点にある。
【０１７４】
かかる構成とすることでも、上記実施の形態５の食器洗浄機２００Ａとほぼ同様の作用、効果を奏することができる。
【０１７５】
また、電解溶液生成装置１を循環ポンプ２０８の後段（下流側）である散水パイプ２０９の途中に設置することで、洗浄に適した水をより食器（被洗浄物）２１７に近い部位で発生させることができるようになる。その結果、電解溶液を含んだ水をより濃度の高い状態で食器（被洗浄物）２１７に散水することができ、より効果的に洗浄・殺菌することができるようになる。また、洗浄時間の短縮化を図ることや、省エネ化を図ることができるようになる。
【０１７６】
（実施の形態７）
実施の形態７においては、本発明にかかる電解液体生成装置１を備える液体改質装置について説明する。
【０１７７】
図２５には、電解液体生成装置１を備える液体改質装置としての浄水器３００Ａを一例として示している。
【０１７８】
浄水器３００Ａは、浄水器本体３００を備えており、この浄水器３００には、使用者により操作される操作盤３１０および操作盤３１０を操作することで浄水器３００Ａの動作等を制御する制御手段３１１が設けられている。
【０１７９】
また、浄水器本体３００の内部には、フィルター３０３、電解液体生成装置１、および、分解手段３０６が配置されている。
【０１８０】
フィルター３０３の上流側には、水道水などの水をフィルター３０３に導入する給水配管３０１が設置されている。この給水配管３０１は、例えば、家庭用水道配管に蛇口等を介して接続されるものである。そして、給水配管３０１の途中には、給水弁３０２が設置されている。
【０１８１】
そして、フィルター３０３の下流側が、接続配管３０４を介して、電解液体生成装置１の上流側に接続されている。そして、電解液体生成装置１の下流側が、接続配管３０５を介して、分解手段３０６の上流側に接続されている。また、分解手段３０６の下流側には吐出配管３０７が接続されており、接続配管３０７の途中には、吐出弁３０８が設置されている。そして、接続配管３０７の先端には、吐出口３０９が形成されており、吐出口３０９から浄水を外部に吐出できるようになっている。
【０１８２】
次に、実施の形態７にかかる浄水器３００Ａの動作、作用を説明する。
【０１８３】
まず、使用者が操作盤３１０を操作し、浄水器３００Ａを起動させると、制御手段３１１１によって給水弁３０２が開放され、給水配管３０１を通じ、水が水道圧によりフィルター３０３の内部に導入される。
【０１８４】
そして、フィルター３０３の内部に導入された水は、フィルター３０３を通過し、サビやごみなどの不純物が除去される。
【０１８５】
不純物が除去された水は、接続配管３０４を通じ、電解液体生成装置１に導入される。
【０１８６】
このとき、制御手段３１１によって電解液体生成装置１を通電させることで、電解液体生成装置１内を通過中の水が電解によって電解溶液となり殺菌される。
【０１８７】
そして、殺菌された水は接続配管３０５を通じ、分解手段３０６に導入されて電解溶液を分解し、飲用に適したレベルの水となるように調整する。分解手段３０６としては、活性炭やゼオライトやろ過材などを用いることができるが、分解手段３０６、物理手段や光、化学的手段など、分解することができる手段であればよく、特に限定されるものではない。
【０１８８】
そして、飲用可能となった水（浄水：改質水）は、吐出口３０９から浄水器外部に取り出すことができる。
【０１８９】
かかる構成とすることで、水中の不純物が取り除かれるだけでなく、殺菌も行われることになるため、より安全な水を取り出すことができ、衛生的な水を使用者に提供することができるようになる。
【０１９０】
以上、本発明の好適な実施形態について説明したが、本発明は上記実施形態には限定されず、種々の変形が可能である。
【０１９１】
例えば、上記実施の形態１では、オゾンを発生させ、当該オゾンを水に溶解させることでオゾン水を生成するオゾン水生成装置を例示したが、生成させる物質はオゾンに限るものではなく、例えば、次亜塩素酸を生成して殺菌や水処理等に利用するようにしてもよい。また、酸素水、水素水、塩素含有水、過酸化水素水等を生成する装置とすることも可能である。
【０１９２】
また、陽極４４は、例えば導電性シリコン、導電性ダイヤモンド、チタン、白金、酸化鉛、酸化タンタルなどで構成することも可能であり、電解水を生成することのできる導電性と耐久性を持つ電極であればどのような材料を用いてもよい。また、陽極４４をダイヤモンド電極とした場合、その製造方法は成膜による製造方法に限定されるものではない。また、金属以外の材料を用いて基板を構成することも可能である。
【０１９３】
また、陰極４５は、導電性と耐久性を備えた電極であればよく、例えば白金やチタン、ステンレス、導電性シリコンなどで構成することも可能である。
【０１９４】
また、洗浄機や食器洗浄機や浄水器は、上記実施の形態２〜６で示したものに限定されるものではなく、様々な構成のものとすることができる。
【０１９５】
また、電解液体生成装置は、様々な構成とすることができ、このような電解液体生成装置も、電解液体生成装置で生成された電解液体を利用する電気機器および電解液体生成装置を備える液体改質装置に適用することができる。
【０１９６】
こうすれば、効果的に洗浄・殺菌することができる液体改質装置や電気機器を得ることができるようになる。
【０１９７】
また、ハウジングや電解電極デバイス、その他細部のスペック（形状、大きさ、レイアウト等）も適宜に変更可能である。
【産業上の利用可能性】
【０１９８】
以上のように、本発明にかかる電解液体生成装置は、電解処理した液中の電解生成物濃度を高めることが可能となるので、例えば、浄水装置等の水処理機器や、洗濯機、食洗機、温水洗浄便座、冷蔵庫、給湯給水装置、殺菌装置、医療用機器、空調機器、または厨房機器等の用途にも適用できる。
【符号の説明】
【０１９９】
１  電解液体生成装置
４０  電解部
４１  積層体
４２、４２Ａ、４２Ｂ、４２Ｃ  溝部
４２ａ  開口
４２ｂ  底面
４２ｃ  側面
４２ｄ  下流側の側面
４２ｅ  交差面
４２ｆ  開口側の端縁
４２ｇ  底面側の端縁
４２ｈ  直交面
４２ｉ  直線
４４  陽極（電極）
４５  陰極（電極）
４５ｃ  陰極側孔
４６  導電性膜
４６ｂ  導電性膜側孔
４７  界面
７０  流路
７１  流入口
７２  流出口
１００Ａ、１００Ｂ、１００Ｃ  洗浄機（電気機器）
２００Ａ、２００Ｂ  食器洗浄機（電気機器）
３００Ａ  浄水器（液体改質装置）
Ｃ  境界線
Ｒ１  領域
Ｒ２  第一の領域
Ｒ３  第二の領域
Ｘ  通液方向
Ｙ  幅方向
Ｚ  積層方向
【図１】
2018012105.tif 000003
【図２】
2018012105.tif 000004
【図３】
2018012105.tif 000005
【図４】
2018012105.tif 000006
【図５】
2018012105.tif 000007
【図６】
2018012105.tif 000008
【図７】
2018012105.tif 000009
【図８】
2018012105.tif 000010
【図９】
2018012105.tif 000011
【図１０】
2018012105.tif 000012
【図１１】
2018012105.tif 000013
【図１２】
2018012105.tif 000014
【図１３】
2018012105.tif 000015
【図１４】
2018012105.tif 000016
【図１５】
2018012105.tif 000017
【図１６】
2018012105.tif 000018
【図１７】
2018012105.tif 000019
【図１８】
2018012105.tif 000020
【図１９】
2018012105.tif 000021
【図２０】
2018012105.tif 000022
【図２１】
2018012105.tif 000023
【図２２】
2018012105.tif 000024
【図２３】
2018012105.tif 000025
【図２４】
2018012105.tif 000026
【図２５】
2018012105.tif 000027